(57)【特許請求の範囲】
【請求項１】
一方側に表示部が配置された内部構造と、前記内部構造をその前記一方側から収容し、前記内部構造の他方側に開口を有する内側ケース体と、前記内側ケース体の外側に配置される外側ケース体と、前記内側ケース体の前記開口を前記他方側から閉鎖する蓋体と、を有する電子機器において、
前記内側ケース体の外面に設けられた外側係合凹部と、前記外側ケース体の内面に設けられた内側係合突起とが相互に係合することにより前記外側ケース体が前記内側ケース体に保持され、
前記内側ケース体の内面に設けられた内側係合凹部と、前記蓋体の外面に設けられた外側係合突起とが相互に係合することにより前記蓋体が前記内側ケース体  に保持され、
前記内側ケース体に貫通形成された係合孔により前記外側係合凹部及び前記内側係合凹部が構成されるとともに、前記内側係合突起は、前記係合孔に構成された前記内側係合凹部に対して前記一方側に向かう方向に係合する一方、前記外側係合突起は、同一の前記係合孔に構成された前記外側係合凹部に対して前記他方側に向かう方向に係合していることを特徴とする電子機器。
【請求項２】
前記外側係合凹部と前記内側係合突起との係合部分の近傍位置において、前記内側ケース体と前記外側ケース体との間に外部に開口した第１の隙間が設けられていることを特徴とする請求項１に記載の電子機器。
【請求項３】
前記第１の隙間は前記他方側に開口していることを特徴とする請求項２に記載の電子機器。
【請求項４】
前記内側係合凹部と前記外側係合突起との係合部分の近傍位置において、前記内側ケース体と前記蓋体との間に外部に開口した第２の隙間が設けられていることを特徴とする請求項１乃至請求項３のいずれか１項に記載の電子機器。
【請求項５】
前記第２の隙間は前記他方側に開口していることを特徴とする請求項４に記載の電子機器。
【発明の詳細な説明】
【０００１】
【発明の属する技術分野】
本発明は電子機器に係り、特に、スキューバダイビング用電子機器などの携帯用電子機器の構造として好適な電子機器のケース構造に関する。
【０００２】
【従来の技術】
一般に、スキューバダイビング用ウォッチやスキューバダイビング用携帯コンピュータ等のスキューバダイビング用電子機器は、時間情報を表示したり、スキューバダイビングの水深や潜水時間などを計測したり、或いは、浮上速度などのスキューバダイビングに利用可能な情報を表示したりといった各種の機能を有している。
【０００３】
図３及び図４には、従来のスキューバダイビング用電子機器の本体構造を模式的に示す。この電子機器１００においては、透明な合成樹脂等で構成される内側ケース体１１１の内部に、回路基板１０１、液晶パネル等の表示体１０２、水深等を測定するための圧力センサ１０３などが収容されている。回路基板１０１はネジ等によって内側ケース体１１１の内側に固定されている。回路基板１０１にはＩＣや回路素子等の各種の電子部品１０４が実装され、また、導通部材１０５を介して表示体１０２が導電接続されている。さらに、表示体１０２の前面側には見切り板１０６が配置されている。
【０００４】
圧力センサ１０３は、パッキン１０７及び押えリング１０８を介して内側ケース体１１１の前面に設けられたセンサ用開口部１１１ｂの内部に収容されている。支持体１１０は圧力センサ１０３を背後から支持するとともに、回路基板１０１と圧力センサ１０３との間を導電接続するコイルバネ等の導電接続部材１０９を位置決めしている。
【０００５】
内側ケース体１１１の前面側には、表示部以外を覆い隠すとともに内側ケース体１１１を保護するための外側ケース体１１２が圧入固定されている。外側ケース体１１２には表示用開口１１２ａが設けられ、この表示用開口１０２ａにより内側ケース体１１１が露出し、上記表示体１１２の表示画面を視認できるようになっている。
【０００６】
また、内側ケース体１１１は表示体１０２とは反対側に開口１１１ａを有し、この開口１１１ａを蓋体（裏蓋）１１３が閉鎖するように挿入されている。この蓋体１１３は、内側ケース体１１１に螺入された止めリング１１４によって保持固定されている。止めリング１１４には、蓋体１１３の周囲部分に専用工具を係合させるための複数の凹部１１４ａが形成されている。蓋体１１３には内側ケース体１１１の内側にホルダ１１５がネジ等により固定されている。蓋体１１３とホルダ１１５との間に設けられた環状溝にはパッキン１１７が収容され、このパッキン１１７によって内側ケース体１１１と蓋体１１３との密封性（防水性）が確保されている。
【０００７】
上記ホルダ１１５は、蓋体１１３と回路基板１０１との間を導電接続する一対のコイルバネ等の導電接続部材１１６を位置決め保持している。一方の導電接続部材１１６は、インサートナット等の導通部材１１８を介して電池マイナス端子片１２１に導電接続され、他方の導電接続部材１１６は、インサートナット等の導通部材１１９を介して電池プラス端子片１２２に導電接続されている。蓋体１１３には電池格納部１１３ａを有し、この電池格納部１１３ａ内に電池１２３が収容されている。電池１２３のプラス極は上記電池プラス端子片１２２に導電接触し、電池１２３のマイナス極は上記電池マイナス端子片１２１に導電接触している。電池格納部１１３ａは、蓋体１１３に対してねじ込まれた電池蓋１２４によって閉鎖されている。
【０００８】
この電子機器１００の前面には、図４に示すように、上記表示体１０２の表示画面の周囲において水検出スイッチ１３１，１３２及び操作ボタン１３３，１３４が配置されている。
【０００９】
【発明が解決しようとする課題】
しかしながら、上記従来のスキューバダイビング用電子機器においては、回路基板１０１、表示体１０２、圧力センサ１０３などで構成される内部構造を密封するために、内側ケース体１１１に対して蓋体１１３を止めリング１１４によって保持固定しているため、止めリング１１４という別部品が必要になるとともに、内側ケース体１１１と止めリング１１４にネジ構造を形成する必要があるので、製造コストが増大するという問題点がある。また、この止めリング１１４を装着したり取り外したりする際に専用工具が必要となるため、専用工具がなければ分解作業ができず、アフターサービス時のメンテナンス作業が困難であるという問題点もある。
【００１０】
また、外側ケース体１１２は内側ケース体１１１に圧入され、締め代により両者が相互に固定されているため、部品の寸法ばらつきにより簡単に外れてしまったり完全に（つまり奥深くまで）装着できなかったりする場合があることから、製品の品位が低下するとともに、部品の歩留まり低下によりコストの増大を招くという問題点もある。
【００１１】
そこで本発明は上記問題点を解決するものであり、その課題は、製造コストを低減することができるとともに、部品取り付けの不完全性をなくすことのできるケース構造を備えた電子機器を提供することにある。また、分解作業が容易なケース構造を備えた電子機器を提供することにある。
【００１２】
【課題を解決するための手段】
上記課題を解決するために本発明の電子機器は、一方側に表示部が配置された内部構造と、前記内部構造をその前記一方側から収容し、前記内部構造の他方側に開口を有する内側ケース体と、前記内側ケース体の外側に配置される外側ケース体と、前記内側ケース体の前記開口を前記他方側から閉鎖する蓋体とを有する電子機器において、前記内側ケース体の外面に設けられた外側係合凹部と、前記外側ケース体の内面に設けられた内側係合突起とが相互に係合することにより前記外側ケース体が前記内側ケース体に保持され、前記内側ケース体の内面に設けられた内側係合凹部と、前記蓋体の外面に設けられた外側係合突起とが相互に係合することにより前記蓋体が前記内側ケース体に保持されていることを特徴とする。
【００１３】
この発明によれば、内側ケース体に設けられた外側係合凹部及び内側係合凹部と、外側ケース体の内側係合突起及び蓋体の外側係合突起とがそれぞれ係合することにより、内側ケース体に対して外側ケース体と蓋体とがそれぞれ係合保持されるように構成されているため、従来のようにネジ構造を設ける必要がなくなり、また、締め代による圧入固定を用いる必要もなくなるため、ケース構造を確実に保持固定できるとともに製造コストを低減することができる。
【００１４】
本発明において、前記内側ケース体に貫通形成された共通の係合孔により前記外側係合凹部及び前記内側係合凹部が構成され、前記内側係合突起は前記係合孔に対して前記一方側に向かう方向に係合し、前記外側係合突起は前記係合孔に対して前記他方側に向かう方向に係合していることが好ましい。
【００１５】
この発明によれば、内側ケース体に係合孔を設け、この係合孔によって外側係合凹部と内側係合凹部が構成されるようにすることによって、係合構造を簡易に構成することが可能になり、製造コストをさらに低減できる。
【００１６】
本発明において、前記外側係合凹部と前記内側係合突起との係合部分の近傍位置において、前記内側ケース体と前記外側ケース体との間に外部に開口した第１の隙間が設けられていることが好ましい。
【００１７】
この発明によれば、内側ケース体と外側ケース体との間に第１の隙間が設けられ、この隙間が外側係合凹部と内側係合突起との係合部分の近傍位置に配置されているとともに、外部に開口していることにより、この第１の隙間に工具などを挿入することによって外側係合凹部と内側係合突起との係合状態を簡単に解除することが可能になる。したがって、分解作業が容易になり、アフターサービスも容易に行うことが可能になる。
【００１８】
本発明において、前記第１の隙間は前記他方側に開口していることが好ましい。
【００１９】
この発明によれば、第１の隙間が他方側に開口していることにより、表示部の裏側に第１の隙間が開口していることとなることから、第１の隙間が外観上目立ち難くなるため、デザイン性を高めることができる。
【００２０】
本発明において、前記内側係合凹部と前記外側係合突起との係合部分の近傍位置において、前記内側ケース体と前記蓋体との間に外部に開口した第２の隙間が設けられていることが好ましい。
【００２１】
この発明によれば、内側ケース体と蓋体との間に第２の隙間が設けられ、この第２の隙間が内側係合凹部と外側係合突起との係合部分の近傍位置に配置されているとともに、外部に開口していることにより、この第２の隙間に工具などを挿入することによって内側係合凹部と外側係合突起との係合状態を簡単に解除することが可能になる。したがって、分解作業が容易になり、アフターサービスも容易に行うことが可能になる。
【００２２】
本発明において、前記第２の隙間は前記他方側に開口していることが好ましい。
【００２３】
この発明によれば、第２の隙間が他方側に開口していることにより、表示部の裏側に第２の隙間が開口していることとなることから、第２の隙間が外観上目立ち難くなるため、デザイン性を高めることができる。
【００２４】
【発明の実施の形態】
次に、添付図面を参照して本発明に係る電子機器の実施形態について詳細に説明する。図１は、本実施形態の電子機器２００の構造を示す縦断面図、図２（ａ）は電子機器２００の正面図、図２（ｂ）は電子機器２００の背面図である。なお、図１は、図２に示すＩ−Ｉ線に沿った断面を示す図となっている。また、各図は、図示の都合上、適宜に各部の寸法を増減させて描いてある。
【００２５】
本実施形態の電子機器２００は、スキューバダイビング用の電子機器である。より具体的には、携帯型電子機器の本体部を構成するものである。したがって、例えば、腕時計型に構成する場合には、図１及び図２に示す本体部にバンドが接続された構成となる。
【００２６】
電子機器２００においては、内側ケース体２１１が設けられている。この内側ケース体２１１は透明であり、例えば、透明な合成樹脂等によって一体に成形されている。内側ケース体２１１の前面側（図示上側）は表示窓となっている。また、内側ケース体２１１は背面側に開口２１１ａを有する容器状に構成され、その内部に回路基板２０１がネジ等によって固定されている。
【００２７】
回路基板２０１上には電子部品２０４が実装され、各種の演算回路、処理回路等が構成されている。回路基板２０１の前面側には液晶パネル等の表示体２０２が配置されている。表示体２０２は、例えば導電性ゴム等で構成される導通部材２０５を介して回路基板２０１に導電接続されている。表示体２０２のさらに前面側には見切り板２０６が配置されている。この見切り板２０６は、表示体２０２の表示画面の周囲を覆い隠すためのものである。
【００２８】
内側ケース体２１１の前面側にはセンサ用開口部２１１ｂが設けられ、このセンサ用開口部２１１ｂに圧力センサ２０３が収容されている。圧力センサ２０３は、パッキン２０７及び押えリング２０８を介してセンサ用開口部２１１ｂの内部に配置され、背面側から支持体２１０によって押さえつけられた状態となっている。支持体２１０には、圧力センサ２０３と回路基板２０１とを導電接続するためのコイルバネ等の導電接続部材２０９が配置されている。この導電接続部材２０９は支持体２１０に設けられた孔等により位置決めされた状態となっている。
【００２９】
上記内側ケース体２１１の外側には、前面側から外側ケース体２１２が覆うように装着されている。外側ケース体２１２は、内側ケース体２１１の表示画面以外の部分を覆い隠すとともに、内側ケース体２１１及びその内部に配置された構造を保護する機能を有するものである。外側ケース体２１２は、内側ケース体２１１と概略類似した形状、すなわち、前面側を覆うように構成されているとともにその周囲が背面側に向けて伸び、背面側に開口を備えた容器形状を有している。外側ケース体２１２の前面側には表示用開口２１２ａが設けられている。この表示用開口２１２ａは、内側ケース体２１１を光学的に露出させて、表示体２０２の表示画面を視認可能にするためのものである。したがって、単なる開口であっても、内部を視認可能な窓構造で構成されていてもよい。
【００３０】
内側ケース体２１１には、その開口２１１ａの開口縁部の近傍位置に、係合孔２１１ｈが設けられている。この係合孔２１１ｈは、上記の外側係合凹部及び内側係合凹部を構成するものである。係合孔２１１ｈは開口２１１ａの開口縁部に沿って複数設けられていることが好ましい。
【００３１】
また、外側ケース体２１２には、その開口縁部の近傍位置に、上記係合孔２１１ｈに対応する内側係合突起２１２Ｐが設けられている。そして、内側係合突起２１２Ｐが係合孔２１１ｈ（すなわち外側係合凹部）に係合することによって、外側ケース体２１２が内側ケース体２１１に保持固定されている。ここで、内側係合突起２１２Ｐは、係合孔２１１ｈ（すなわち外側係合凹部）に対して前面側（図示上側）に向けて当接し係合した状態となっている。したがって、内側係合突起２１２Ｐを係合孔（すなわち外側係合凹部）から脱出させない限り、外側ケース体２１２を内側ケース体２１１に対して前面側に取り外すことができないように構成されている。
【００３２】
また、上記内側係合突起２１２Ｐと係合孔２１１ｈ（すなわち外側係合凹部）との係合部分の近傍（より具体的には係合部分の背面側）には、内側ケース体２１１と外側ケース体２１２との間に上記第１の隙間である外側間隙ＯＧが設けられている。この外側間隙ＯＧは、上記係合部分に連通するように設けられている。また、この外側間隙ＯＧは、そのまま外部に開口するように構成されている。
【００３３】
内側ケース体２１１には背面側から蓋体２１３が挿入され、その上記開口２１１ａは蓋体２１３によって閉鎖されている。蓋体２１３にはパッキン２１７が装着され、このパッキン２１７によって蓋体２１３と内側ケース体２１１との間の密閉性（防水性）が確保されている。なお、より具体的には、パッキン２１７は、蓋体２１３と、この蓋体２１３に固定されたホルダ２１５との間に挟持された状態で装着されている。
【００３４】
ホルダ２１５は蓋体２１３の内側にネジ等によって固定されている。ホルダ２１５には筒状の保持部が複数設けられ、この保持部内にそれぞれコイルバネ等の導電接続部材２１６が収容されている。導電接続部材２１６の一端は回路基板２０１に導電接触し、他端は蓋体２１３に固定されたインサートナット等の導通部材２１８，２１９に導電接触している。導通部材２１８，２１９にはネジ等により電池マイナス端子片２２１及び電池プラス端子片２２２が導電接続された状態に取り付けられている。
【００３５】
蓋体２１３には凹部状に構成された電池格納部２１３ａが設けられ、この電池格納部２１３ａ内に電池２２３が収容されている。また、電池格納部２１３ａは電池蓋２２４によって閉鎖されている。電池蓋２２４の外面上には電磁蓋開閉用の凹溝２２４ａが設けられている。電池２２３のプラス極には上記電池プラス端子片２２２が導電接触し、また、電池２２３のマイナス極には上記電池マイナス端子片２２１が導電接触している。
【００３６】
蓋体２１３の外周部には切り欠き状等に構成された開口部２１３ａが設けられている。この開口部２１３ａは、蓋体２１３の外周に沿って複数設けられていることが好ましい。この開口部２１３ａは、上記内側ケース体２１１の係合孔（すなわち外側係合凹部及び内側係合凹部）２１１ｈと、外側ケース体２１２の内側係合突起２１２Ｐとの係合部分に対応して設けられている。したがって、上記外側間隙ＯＧは、開口部２１３ａを通して外部に露出している。この外側間隙ＯＧの開口方向は、背面側に向かう方向である。
【００３７】
また、蓋体２１３の外周面上には、上記内側ケース体２１１の係合孔２１１ｈ（すなわち内側係合凹部）に係合する外側係合突起２１３Ｐが設けられている。この外側係合突起２１３Ｐは外側に突出して係合孔２１１ｈ（すなわち内側係合凹部）に係合し、これによって、蓋体２１３が内側ケース体２１１に対して保持固定される。外側係合突起２１３Ｐは、係合孔２１１ｈ（すなわち内側係合凹部）に対して背面側（図示下側）に当接し、係合している。さらに、その係合部分の近傍位置には、内側ケース体２１１と蓋体２１３との間に上記第２の隙間である内側間隙ＩＧが設けられている。この内側間隙ＩＧは上記係合部分に連通するように設けられている。また、この内側間隙ＩＧは、そのまま外部に開口するように構成されている。この外側係合突起２１３Ｐと係合孔２１１ｈ（すなわち内側係合凹部）との係合部分もまた、上記開口部２１３ａに対応して設けられている。したがって、上記の内側間隙ＩＧもまた開口部２１３ａを通して外部に露出している。この内側間隙ＩＧの開口方向は、背面側に向かう方向である。
【００３８】
本実施形態の時計２００の前面側には、上記表示画面の周囲に水検出スイッチ２３１，２３２及び操作ボタン２３３，２３４が設けられている。
【００３９】
本実施形態では、内側ケース体２１１に対して外側ケース体２１２を前面側から背面側に向けて嵌合させるだけで、容易に外側ケース体２１２を内側ケース体２１１に装着することができる。また、内側ケース体２１１に対して蓋体２１３を背面側から前面側に向けて挿入するだけで、容易に蓋体２１３を内側ケース体２１１に装着することができる。
【００４０】
また、上記の外側間隙ＯＧが外部に開口していることにより、この外側間隙ＯＧにマイナスドライバー等の工具を差込み、外側ケース体２１２を外側に広げるように変形させることによって、上記内側係合突起２１２Ｐを係合孔（外側係合凹部）２１１ｈから脱出させることができ、これによって外側ケース体２１２を内側ケース体２１１から取り外すことができる。
【００４１】
さらに、上記の内側間隙ＩＧが外部に開口していることにより、この内側間隙ＩＧにマイナスドライバー等の工具を差込み、内側ケース体２１１を外側に広げるように変形させることによって、上記外側係合突起２１３Ｐを係合孔（内側係合凹部）２１１ｈから脱出させることができ、これによって蓋体２１３を内側ケース体２１１から取り外すことができる。
【００４２】
本実施形態では、従来必要であった止めリングが不要となるとともに、ネジ構造を設ける必要もなくなるので、製造コストを大幅に低減することができる。また、蓋体を取り外すために止めリングを回転操作するための専用工具も不要となり、きわめて簡単に蓋体を取り外すことが可能になるため、分解作業を容易に行うことができ、アフターサービス時の労力も軽減される。
【００４３】
一方、外側ケース体を締め代で固定するのではないため、部品の寸法ばらつきによる影響を低減し、外側ケース体を確実に保持固定することが可能になる。また、蓋体も内側ケースに対して係合により保持固定されているため、従来の螺合構造よりも確実に固定することができる。
【００４４】
さらに、上述のように、内側ケース体、外側ケース体及び蓋体をきわめて簡単に相互に装着することが可能になるため、組み立て作業の労力も軽減することができる。
【００４５】
さらに、従来のねじ込み式のケース構造では止めリングと内側ケース体との螺合構造によって円形の断面構造を設ける必要があるが、本実施形態では、３つの部品を有するケース構造において係合固定による固定構造を採用したことにより、ケース形状を任意に設計することが可能になり、設計の自由度が大幅に向上するという利点もある。
【００４６】
尚、本発明の電子機器は、上述の図示例にのみ限定されるものではなく、本発明の要旨を逸脱しない範囲内において種々変更を加え得ることは勿論である。例えば、上記実施形態は、スキューバダイビング用のダイビングコンピュータ或いはダイビングウォッチ等のダイビング用電子機器として構成した例を示したが、水深計、残圧計、コンパス等としても構成することができる。さらに、本発明は上記のようなものに限らず、電子時計、携帯電話、ページャー、携帯型情報端末、歩数計などの各種の電子機器にも採用することができる。本発明は、特に携帯型電子機器として構成する場合に好適な構成となっている。
【００４７】
【発明の効果】
以上、説明したように本発明によれば、製造コストを低減することができるとともに、部品取り付け時の不具合を低減できるケース構造を有する電子機器を提供できる。また、本発明のケース構造は分解作業を容易に行うことができるため、メンテナンス性も向上できる。
【図面の簡単な説明】
【図１】  本発明に係る電子機器の実施形態の構造を示す概略縦断面図（図２に示すＩ−Ｉ線に沿った断面構造を示す図）である。
【図２】  同実施形態の構造を示す正面図（ａ）及び背面図（ｂ）である。
【図３】  従来の電子機器の構造を示す概略縦断面図（図４に示すIII−III線に沿った断面構造を示す図）である。
【図４】  従来の電子機器の構造を示す正面図（ａ）及び背面図（ｂ）である。
【符号の説明】
２００・・・電子機器、２０１・・・回路基板、２０２・・・表示体、２０３・・・圧力センサ、２１１・・・内側ケース体、２１１ａ・・・開口、２１１ｈ・・・係合孔、２１２・・・外側ケース体、２１２ａ・・・表示用開口、２１２Ｐ・・・内側係合突起、２１３・・・蓋体、２１３ａ・・・開口部、２１３Ｐ・・・外側係合突起、ＯＧ・・・外側間隙、ＩＧ・・・内側間隙
【図１】
0004051992.tif 000002
【図２】
0004051992.tif 000003
【図３】
0004051992.tif 000004
【図４】
0004051992.tif 000005